(57)【要約】      （修正有）【課題】詐欺や悪徳商法から身を守ることができる詐欺防止インターホンを提供する。【解決手段】インターホン２は、ボタンを押すだけでは呼出音が鳴らない。訪問者の情報を確認して安全と判断された場合のみインターホン２を鳴らせるしくみである。情報確認の方法としては、携帯電話の発信、暗証番号の入力、生体認証などを使用する。こうすることで見知らぬ第三者はインターホン２を鳴らすことができない。【選択図】図１
2019022203.tif 000002
【特許請求の範囲】
【請求項１】
携帯電話の発信、情報共有のための通信、アプリの利用などの電子的方法、ＩＣカード、マイナンバーカード、または暗証番号の入力などの、来訪者が求められた操作や情報提供を行って認証を受けることができた場合のみ、来訪者を知らせるインターホン。
【請求項２】
ホワイトリスト、ブラックリスト、携帯電話番号確認、暗証番号などを自由に組み合わせて認証を行うことを特徴とする請求項１に記載のインターホン。
【請求項３】
提供された情報がブラックリストと一致した場合に警備会社または警察などに通報できることを特徴とする請求項１または請求項２に記載のインターホン。
【請求項４】
スマートホン、ホームセキュリティシステムまたは固定電話などと連携して、リストの登録、更新、暗号の変更、データ共有、またはセキュリティレベルの設定などが手動または自動で行えることを特徴とする請求項１〜請求項３のいずれかに記載のインターホン。
【発明の詳細な説明】
【技術分野】
【背景技術】
【０００１】この発明は玄関などに設置されるインターホンに関する。
【先行技術文献】
【０００２】特願２０００−２４６８０４（Ｐ２０００−２４６８０４）
【発明の概要】
【発明が解決しようとする課題】
【０００３】  従来のインターホンでは、ボタンを押すだけで家人を呼び出すことができた。その結果、自宅に押し売りや悪徳訪問販売業者が訪れ、やすやすと家の中の人と会い、高額商品を売りつけたり、不要な契約をさせたりすることが横行していた。電話には着信拒否機能などもあるが、インターホンについては対策が遅れていた。  従来、悪徳商法や詐欺に合わないよう、教育的情報が流されてきたが、いざ訪問者の顔を見て話をするとつい信じてしまい、被害が後を絶たない。特にお年寄りは、話を聞いてしまうと騙されやすいので、自覚を促す教育だけでは限界があった。
【課題を解決するための手段】
【０００４】  課題を解決するため、ボタンを押すだけでは音が鳴らず、家人を呼び出せないインターホンを提案する。まさか鳴らさぬわけにもいかないとの思い込みを取り去り、身元の分からぬ相手には一切話す機会を与えないインターホンを考えた。。
【発明の効果】
【０００５】・  詐欺や悪徳商法から身を守ることができる。・  見知らぬ第三者はインターホン２を介して家人が留守かどうかを確認することができ    ないため、家人の生活の傾向が泥棒に把握されにくい。・  入手した携帯電話番号がブラックリストにあるものと一致した場合に警察や警備会社    などに自動的に即時通報できる。・  犯罪者は本発明インターホン２を確認した段階で家人の呼出を諦めることが予想され    る。・  留守にしていても誰が来たか携帯番号などから特定できる。
【図面の簡単な説明】
【０００６】
【図１】来訪者がインターホン２で家人を呼び出すための操作として携帯電話で固有番号に６発信し、それを受けたインターホン２からデータ処理装置３に携帯番号が７通知され、３データ処理装置３に於いてブラックリスト及びホワイトリストなどと照合して、呼出音を発生させるかどうか決定し、状況に合わせて処理を行う指令として８データ処理装置３から呼出音発生装置４への信号、９データ処理装置３からインターホン２への信号、１０データ処理装置３からの自動緊急通報、１１家人のスマートホン１への通信・通報を行う流れを示したイメージ図。
【０００７】
【図２】実施例１の情報処理の流れを示すイメージ図。
【０００８】
【図３】実施例２の情報処理の流れを示すイメージ図。
【発明を実施するための形態】
【０００９】  詐欺や悪質訪問販売など、玄関のインターホン２から始まる被害を食い止める究極の方法は、とにかく怪しい人と話をしないことに尽きる。怪しい相手と一切話す機会を与えないことは大変効果的な防犯策となる。  本発明のインターホン２は、ボタンを押すだけでは呼出音が鳴らない。訪問者の情報を確認して安全と判断された場合のみインターホン２を鳴らせるしくみである。情報確認の方法としては、携帯電話の発信、暗証番号の入力、生体認証などを使用する。こうすることで見知らぬ第三者はインターホン２を鳴らすことができない。
【００１０】  利用者は必要に応じて、近所の友人や宅配便の配達人、親戚などに限定したホワイトリストを参照したり、ブラックリストにある番号が出てきたら呼出を拒否したりと自由にセキュリティの設定ができる。リストの登録や設定をスマートホン１、固定電話やホームセキュリティで行い情報共有することも可能である。
【００１１】  企みのある訪問者側から見ると、携帯情報を開示したくないので、そもそも玄関先で諦めることになる。仮に来訪者が不正取得した第三者の携帯を持っていたとしても履歴が残ることを恐れインターホン２の使用を躊躇う。  インターホン２本体で撮影した写真を撮影して携帯電話やセキュリティシステムに転送すると、管理者がチェックして呼び出し音を鳴らすことができる。
【００１２】  ホームセキュリティやスマホとの連動も可能で、▲１▼ホワイトリストにある電話番号のみ受け付ける▲２▼携帯番号で発信するだけで（記録は残るので）受け付ける▲３▼暗証番号を求める▲３▼ブラックリストにある番号で発信されたら警察に通報が行くなど、ニーズに合った最適の防犯を設定できる。  また、これらのリストや暗証番号、指紋及び他の生体情報確認、ＩＣカード情報などを来訪者フィルターの照合データとして利用することができる。スマートホンの他、携帯電話、ＩＣカード、マイナンバーカードなど、個人を特定できるあらゆるものを来訪者が家人を呼び出す際に使用可能である。そのうち写真のついたカードは、カメラに向けて本人確認することも可能である。  これらの機能を、不要な際には外すことができるように設計すると良いが、実際多くの個人宅では、急に誰かに尋ねて来られた方がいいという状況はまれなので、ずっとオンにしていても差し支えないものと思われる。  来訪者を知らせるとは、ここでは、呼出音が鳴るか、あるいは光が点滅するか、あるいは振動などのいずれかまたはそれらの組み合わせの作動により家人などに来訪を知らせることを示す。
【実施例１】
【００１３】  図１に実施例１を示した。ここでは、来訪者が現れるとカメラを起動させると共にインターホン２の呼出のために来訪者の携帯電話から固有番号への発信を求める。その携帯電話番号は、データ処理装置３内でフィルターにかけられ、ブラックリストの番号と一致すれば警察などに通報、ホワイトリストと一致すれば呼出音が鳴り、不明の携帯番号の場合は、家族の携帯に来訪者の写真と状況を転送してその返信信号に従う。  リストの内容は、生体情報や携帯電話番号などを自動的に学習させるとともに、家人によるホワイトリストの作成、携帯電話にある連絡先リストなどからの作成を行う。詐欺グループの電話番号として公開されているブラックリストに加えて、家庭の固定電話において着信拒否設定をしている番号もブラックリストに加える。  尚、図に於いてデータ処理装置３はインターホン２と離れて設置されているように書かれているが限定しない。ホームセキュリティシステムと連動していてもよい。
【実施例２】
【００１４】  呼出音を鳴らすかどうかの判断に、暗証番号の入力を採用する。家族や郵便局の配達人など少人数の利用だけを想定する場合は、構成が簡単なので実施しやすい。同居家族の自宅滞在中は暗証番号フィルターをオフにして誰でも呼び出せるようにし、昼間など老人や子供だけで留守番をしている時にはオンにして見知らぬ来訪者が呼出をできないように設定する。
【符号の説明】
【００１２】１．スマートホン２．インターホン３．データ処理装置４．呼出音発生装置５．警察または警備会社など６．スマートホンまたは携帯電話からインターホン２への発信７．インターホンからデータ処理装置への通知８．データ処理装置から呼出音発生装置への信号９．データ処理装置からインターホンへの信号１０．データ処理装置からの自動緊急通報１１．家人のスマートホンへの通信・通報１２．家人のスマートホンから警察または警備会社などへの通信・通報１３．家人のスマートホンから呼出音発生装置４への信号１４．ホワイトリスト確認過程１５．ブラックリスト確認過程１６．ホワイトリストに不一致の場合のブラックリスト確認の為の信号１７．ホワイトリスト及びブラックリストに不一致の場合のスマートホンへの通信１８．暗証番号確認過程１９．暗証番号が不一致の場合のインターホンへの信号
【図１】
2019022203.tif 000003
【図２】
2019022203.tif 000004
【図３】
2019022203.tif 000005